(57)【要約】【課題】本発明は、ダブルラッシェル編機により簡単に編成できるとともに伸縮性に優れ体型補整具等に用いた場合に身体動作への追従性を十分に備えた芯材保持用編地を提供するものである。【解決手段】ダブルラッシェル編機のバックニードルで編成された保持部３と、フロントニードルで編成された基体部２と、基体部２及び保持部３にそれぞれ挿入された編成糸を交互に相手方に経方向に沿って編み込んで形成された２列の結節部４からなり、基体部２、保持部３及び結節部４により囲まれた空間領域５にワイヤー等の芯材を挿入するようにする。【選択図】        図１
2004263345.tif 000002
【特許請求の範囲】
【請求項１】
ダブルラッシェル編機の一方の針床部で緯方向に所定の幅をもって編成された保持部と、前記ダブルラッシェル編機の他方の針床部で前記保持部の幅よりも広い幅をもって編成された基体部とを有し、前記基体部及び前記保持部は、前記保持部の両側縁部において経方向に沿って前記基体部の編成糸と前記保持部の編成糸とが交互に編み込まれて形成された２列の結節部で結節されていることを特徴とする芯材保持用編地。
【請求項２】
前記基体部には、複数の前記保持部が並列して編み込まれていることを特徴とする請求項１に記載の芯材保持用編地。
【請求項３】
緯方向に所定の幅をもってダブルラッシェル編機の一方の針床部で編成された保持部と、前記保持部の幅以上の幅をもって前記ダブルラッシェル編機の他方の針床部で編成された基体部とを有し、前記基体部及び前記保持部は、両側縁部から内側の位置において経方向に沿って前記基体部の編成糸と前記保持部の編成糸とが交互に編み込まれて形成された２列の結節部で結節されていることを特徴とする芯材保持用編地。
【請求項４】
前記保持部及び前記基体部の内面に表出する糸としてポリアミド系繊維又はポリエステル系繊維からなる糸が用いられていることを特徴とする請求項１から３のいずれかに記載の芯材保持用編地。
【請求項５】
編成する糸には、ポリウレタン系繊維からなる弾性糸を含む複数種類の糸が用いられていることを特徴とする請求項１から４のいずれかに記載の芯材保持用編地。
【請求項６】
請求項１から５のいずれかに記載の芯材保持用編地が縫着されていることを特徴とする縫製品。
【発明の詳細な説明】
【０００１】
【発明の属する技術分野】
本発明は、棒状の芯材を挿入して保持するための芯材保持用編地及びこの芯材保持用編地を用いたブラジャー、コルセット、ガードル、ベルト等の衣料品や体型補整具の縫製品に関する。
【０００２】
【従来の技術】
従来より衣料品−特に婦人用衣料において、金属又は合成樹脂等の材料からなる線状の芯材をコルセット、ブラジャー、ガードル等の衣料の中に挿入して体型を整えることが行われている。また、医療用補整具においても、例えば、腰痛の治療の際に用いるガードルやベルトに同様の芯材を挿入して体型を補整することが行われている。
【０００３】
こうした芯材を衣料又は体型補整具に挿入して保持しておくため、細幅にスリットした布帛を芯材が挿入される位置に沿ってミシン縫いにより衣料に縫着することが行われている。しかしながら、デザインや軽量化の観点から芯材の太さは細くしておくことが必要で、細い芯材を挿入するための幅を確保しながら細幅の布帛の両側端を縫着することは、非常に細かい作業で作業効率が悪い。また、布帛をスリットして用いることは、切断する際のほつれ等の後処理が必要となって別途そのための生産工程が必要となる。
【０００４】
そこで、芯材を保持する部分を予め筒状に形成しておくことが提案されている。例えば、特許文献１では、ニードル織機を用いて中空部を有する管状部と扁平な耳部が継ぎ目なしに一体的に形成された耳付き管状テープが記載されている。また、特許文献２には、経編により二重編部分及び一重編部分を形成し、それぞれに高収縮糸からなる緯挿入糸を編み込んで中央部が中空の筒状に形成され、両縁部が耳部に形成された筒状テープが記載されている。
【０００５】
【特許文献１】
特開平８−３２５８８７号公報
【特許文献２】
特開平１０−１３０９１１号公報
【０００６】
【発明が解決しようとする課題】
しかしながら、先行特許文献では、全体に緯糸が編み込まれているため、芯材を挿入する筒状部の伸縮性が乏しくなっている。すなわち、特許文献１では、織機で織成されているため、管状部の伸縮性はほとんどない。また、特許文献２では、緯挿入糸に高収縮糸を用いて編成後に収縮させて編目を緻密化しており、伸縮性に乏しいものとなっている。そして、グランド組織に挿入組織を使用しているので、基布の安定性に欠ける。なお、特許文献２の記載内容からは、編組織の編み立てが実施できるか不明で、針床についてもダブルを用いているのかダブルを用いているのか不明である。いずれにしても体型補整具等に用いた場合身体の動作に対応して追従性がなくなってしまう。
【０００７】
そこで、本発明は、ダブルラッシェル編機により簡単に編成できるとともに伸縮性に優れ体型補整具等に用いた場合に身体動作への追従性を十分に備えた芯材保持用編地を提供するものである。
【０００８】
【課題を解決するための手段】
本発明に係る芯材保持用編地は、ダブルラッシェル編機の一方の針床部で緯方向に所定の幅をもって編成された保持部と、前記ダブルラッシェル編機の他方の針床部で前記保持部の幅よりも広い幅をもって編成された基体部とを有し、前記基体部及び前記保持部は、前記保持部の両側縁部において経方向に沿って前記基体部の編成糸と前記保持部の編成糸とが交互に編み込まれて形成された２列の結節部で結節されていることを特徴とする。さらに、前記基体部には、複数の前記保持部が並列して編み込まれていることを特徴とする。
【０００９】
本発明に係る別の芯材保持用編地は、緯方向に所定の幅をもってダブルラッシェル編機の一方の針床部で編成された保持部と、前記保持部の幅以上の幅をもって前記ダブルラッシェル編機の他方の針床部で編成された基体部とを有し、前記基体部及び前記保持部は、両側縁部から内側の位置において経方向に沿って前記基体部の編成糸と前記保持部の編成糸とが交互に編み込まれて形成された２列の結節部で結節されていることを特徴とする。また、上記の芯材保持用編地において、前記保持部及び前記基体部の内面に表出する糸としてポリアミド系繊維又はポリエステル系繊維からなる糸が用いられていることを特徴とする。さらに、編成する糸には、ポリウレタン系繊維からなる弾性糸を含む複数種類の糸が用いられていることを特徴とする。
【００１０】
本発明に係る縫製品は、上記の芯材保持用編地が縫着されていることを特徴とする。
【００１１】
上記のような構成を有することで、公知のダブルラッシェル編機を用いて簡単に編成することができ、基体部の編成糸と保持部の編成糸とが交互に編み込まれて形成された２列の結節部で結節されているので、基体部及び保持部を継ぎ目なしに形成することができる。そして、左右２列の結節部と上下の基体部及び保持部とで囲まれて形成された筒状の空間に芯材を挿入することで、芯材を安定して保持することが可能となり、保持部の幅や２列の結節部の間隔を調整することで様々な幅の芯材に簡単に対応することができる。また、２列の結節部が基体部の編成糸と保持部の編成糸とを交互に編み込んで形成されているので、緻密に編み込んでしっかりと結節することができ、挿入された芯材が結節部から外部に露出することもない。
【００１２】
基体部の幅を保持部の幅よりも広くして、保持部の両側縁部で結節し、基体部の両側部分が縫製品に縫着するための耳部として使用することができる。また、基体部及び保持部の両側縁部から内側の位置において結節すれば、基体部及び保持部の両側部分が耳部として使用することができ、縫着する場合には、縫製品の端部を基体部及び保持部の両側部分で挟んで縫い付ければしっかり縫着できる。
【００１３】
基体部及び保持部は、ダブルラッシェル編機のそれぞれの針床部で編成するので、それぞれ一重の地組織として薄く仕上げることができ、縫製品に重合して縫着しても縫製品の厚みを抑えることが可能となる。例えば、コルセットのように複数の芯材を並列して配置する場合には、それらの芯材に対応して１枚の編地に複数の保持部を形成して縫着することが可能となり、コルセット全体の厚みを抑えることができる。このようにダブルラッシェル編機を用いているので、テープ状の基体部に１つの保持部が編み込まれたものであれば、複数の芯材保持用編地を同時に製造でき、生産効率が大幅にアップするとともに、上述のように広幅の基体部に複数の保持部を編み込んだものも同じ編機で簡単に製造することができるため製造コストを低減することができる。
【００１４】
また、基体部及び保持部はともに経編編成されて伸縮性を有しているため、１枚の編地に複数の保持部を形成して縫着して体型補整具等に用いても身体動作に追従して支障となることがない。
【００１５】
保持部及び基体部の内面に表出する糸としてポリアミド系繊維又はポリエステル系繊維からなる糸を用いることで、芯材を挿入する際に滑りがよくなり、芯材の挿入工程をスムーズに行うことができる。また、編成する糸に、ポリウレタン系繊維からなる弾性糸を含む複数種類の糸を用いることで、さらに、伸縮性を持たせることが可能となりフィット性が向上し、また、芯材挿入もより一層容易になる。
【００１６】
【発明の実施の形態】
以下、本発明を添付図面に示す実施形態に基づいて詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１７】
図１は、本発明に係る第一実施形態を示している。芯材保持用編地１は、経方向にテープ状に編成された基体部２に、同様に経方向にテープ状に編成された保持部３を２列の結節部４で結節して構成されている。保持部３の幅は基体部２の幅よりも小さくなっており、保持部３の両側縁部を結節部４により結節している。結節部４では、後述するように基体部２の編成糸と保持部３の編成糸が交互に相手方に編み込まれて経方向に沿って形成されている。
【００１８】
したがって、基体部２、保持部３及び結節部４により囲まれた空間領域５が形成され、空間領域５に芯材を挿入することで芯材が保持される。そして、基体部２の両側部分は、結節部４より外側に延設される耳部６として使用される。
【００１９】
図２には、芯材保持用編地１を縫着した一例として、ブラジャー１０に縫着した場合を示している。ブラジャー１０は、２つのカップ部１１の上部にそれぞれ吊紐部１２が固定されており、その下部にはカップ部１１を連結する連結帯部１３が縫着されている。連結帯部１３の両端には、それぞれ側帯部１４の一端が固定されており、２つの側帯部１４の他端に設けたホック等を係止して着衣する。カップ部１１と連結帯部１３との湾曲した境界に沿って芯材保持用編地１が縫着される。図３に縫着部分の拡大断面図を示す。図３では、芯材保持用編地１にモールド成形された合成樹脂製のワイヤー材７が空間領域５に挿入されている。ワイヤー材７は、断面が細長い矩形状で全体がＵ字状に湾曲して成形されている。また、芯材保持用編地１の両側部分の耳部６は、連結帯部１３にミシンにより縫い付けられている。
【００２０】
芯材保持用編地１は、伸縮性があるためワイヤー材７がＵ字状に湾曲していてもそれに追随して内側が弛むようなことはない。したがって、外観上皺等が発生することもなくミシンで縫い付ける際にも容易に作業を行うことが可能となる。ワイヤー材７の形状が断面円形のように矩形以外の形状の場合やＵ字状以外の形状でも編地１は皺等が発生することなくその形状に追随することができる。
【００２１】
基体部２及び保持部３に使用する編成糸としては、レーヨンに代表される再生繊維、綿に代表される天然繊維、アセテート等の半合成繊維、ポリエチレンテレフタレートに代表されるポリエステル系合成繊維、ナイロンに代表される脂肪族ポリアミド系合成繊維あるいはこれらの混合繊維を用いた糸が使用できる。特に、基体部２及び保持部３の空間領域５の内面に表出する糸としてポリアミド系繊維又はポリエステル系繊維からなる糸を用いると、ワイヤー材７を挿入する際に滑りがよくなって作業が容易になる。また基体部２及び保持部３の表面に肌触りのよい繊維を用いることで、ブラジャー等の衣料品に用いた場合装着感をより高めることができる。
【００２２】
なお、ワイヤー材７としては、ポリプロピレン系樹脂のほかその他の合成樹脂を用いることができる。こうした合成樹脂以外にも金属や木、竹といった天然素材を用いることも可能である。また、合成樹脂を用いた場合には、その中に活性炭等を混合して抗菌効果、防臭効果を持たせたり、遠赤外線効果を有するセラミックの粉末を加えたり、マイナスイオン効果を有する鉱物の粉末を加えたりして様々な機能をワイヤー材７に持たせることもできる。
【００２３】
図４には、図１に示した例の変形例を示す。図４（ａ）は、耳部６を片方のみ形成した場合を示しており、衣料品等の縁部に縫い付ける場合に有用である。図４（ｂ）は、耳部６を片方に形成するとともにその中間部の折り曲げ部分８に凹部を形成している。そして、折り曲げ部分８で耳部６を折り曲げて縫い付けることでワイヤー材７を二重にカバーするとともに折り曲げ位置を綺麗に仕上げることができる。折り曲げ部分８を形成するには、予めコード編用の編成糸を１本抜いて編成するとよい。
【００２４】
次に、本発明に係る第二実施形態について説明する。図５に示すように、この例では、保持部３の両側部分にも耳部９が形成されている。すなわち、保持部３の幅を基体部２の幅と略同一にして、結節部４の位置を保持部３の両端部より内側に設定すれば、基体部２の両側部分の耳部６と同様の耳部９を形成することができる。これ以外の部分については、第一実施形態の場合と同様であるので、説明は省略する。耳部９が形成されることで、図６に示すように、カップ部１１と連結帯部１３との間に芯材保持用編地１を挿入してそれぞれの縁部を耳部６及び９により挟み込んで縫い付けることができる。このように芯材保持用編地１を縫着すれば、編地１内に挿入されたワイヤー材７がより身体に密接した位置に配置されるため、体型補整の効果をより高めることができる。
【００２５】
また、図１に示す第一実施形態の変形例として、図７に示すように、シート状の基体部２に複数の保持部３１、３２、３３、・・・を設けることができる。それぞれの保持部を経方向に並列して配置し、図１と同様に基体部及び保持部の編成糸により結節部４１、４２、４３、・・・を形成して筒状の空間領域５１、５２、５３、・・・が形成される。そして、各空間領域に上述したワイヤー材７がそれぞれ挿入保持される。
【００２６】
こうした芯材保持用編地は、図８に示すような腰痛帯２０に用いることができる。すなわち、腰痛帯２０の基布２１の外表面に図７に示す芯材保持用編地を重ね合わせてミシンにより縫い付ける。ワイヤー材７は、腰痛帯２０を内方に湾曲するように成形されており、腰痛帯２０を装着すると、腰部を締め付けるように作用する。この場合、芯材保持用編地の編成糸としてポリウレタン弾性糸を交編することでより締め付け力が高まり、体型補整の効果を高めることができる。
【００２７】
また、図７に示す編地を図２に示すようなブラジャー１０の側帯部１４に縫い付けることで、ブラジャー１０に体型補整の機能を持たせることができる。これ以外にも、骨折の際の添え木として機能する材料を図７の編地に挿入して骨折部分に巻き付けることで、簡易なギブスとして用いることができる。また、スポーツ分野で衝撃を受け易い部位に装着することで、プロテクタとしても使用できる。装着部位の形状に合せて編地を切断すれば様々な部位に装着可能で、上述したようにポリウレタン弾性糸を交編すればサポータとしての機能を持たせることもできる。
【００２８】
以上のように、シート状の基体部に複数の保持部を設けることができるので、一度に保持部を取り付けることが可能となり、取り付け作業が大幅に短縮されるとともに保持部の配置も正確に設定することができる。また、例えば腰痛帯の背中部、側部及び前部で芯材の配置を変更したい場合にも、それぞれの配置に対応して保持部の位置を変更した芯材保持用編地を編成して縫い付ければよく、こうした変更にも簡単に対応することができる。
【００２９】
上述した実施形態の空間領域５は、ワイヤー材の形状や使用用途に応じて適宜設定すればよいが、例えば衣料品に用いる場合、空間領域５を円形にしたときに内径１〜３０ｍｍ、外径は３〜５０ｍｍの範囲を目安に設定される。また、図７に示す変形例の場合、保持部の間隔は、１〜１００ｍｍの範囲で設定可能である。
【００３０】
図９には、上述した芯材保持用編地をダブルラッシェル編機で編成する場合の編成方法を示している。筬Ｌ１及びＬ２は、バックニードルの地組織を編成し、筬Ｌ５及びＬ６は、フロントニードルの地組織を編成する。筬Ｌ３及びＬ４は、それぞれバックニードル及びフロントニードルの地組織に挿入され交互に相手方の地組織に編み込まれて結節部を形成するように編成する。すなわち、筬Ｌ３がバックニードルの地組織に挿入された編成糸をフロントニードルの地組織に編み込み、続いて筬Ｌ４がフロントニードルの地組織に挿入された編成糸をバックニードルの地組織に編み込ように交互に行うことで結節部が形成されていく。図１に示すような編地とする場合には、バックニードルの地組織の幅をフロントニードルの地組織の幅より小さくなるように糸配列し、筬Ｌ３及びＬ４にバックニードルの地組織の糸配列の両端に合せてそれぞれ１本の糸を配列して編成すればよく、図５に示すような編地とする場合には、バックニードルの地組織の幅をフロントニードルの地組織の幅と同じになるように糸配列し、筬Ｌ３及びＬ４にバックニードルの地組織の糸配列の両端より内側の位置にそれぞれ１本の糸を配列して編成すればよい。また、図７に示すような編地とする場合には、バックニードルの地組織に所定の間隔を空けて保持部に対応する糸配列を複数設定し、それぞれの糸配列の両端に合せて筬Ｌ３及びＬ４に１本の糸を配列して編成すればよい。
【００３１】
なお、以上で説明した編成方法は、一例を挙げて説明したものであって、上記した本発明の特徴である形状及び機能を備えることが可能であれば、これ以外の筒状編に関する編成方法についても用いることができる。
【００３２】
【発明の効果】
以上に説明したとおり、本発明に係る芯材保持用編地は、公知のダブルラッシェル編機を用いて簡単に編成することができ、基体部の編成糸と保持部の編成糸とが交互に編み込まれて形成された２列の結節部で結節されているので、基体部及び保持部を継ぎ目なしに形成することができる。そして、左右２列の結節部と上下の基体部及び保持部とで囲まれて形成された筒状の空間に芯材を挿入することで、芯材を安定して保持することが可能となり、保持部の幅や２列の結節部の間隔を調整することで様々な幅の芯材に簡単に対応することができる。また、２列の結節部が基体部の編成糸と保持部の編成糸とを交互に編み込んで形成されているので、緻密に編み込んでしっかりと結節することができ、挿入された芯材が結節部から外部に露出することもない。
【００３３】
基体部の幅を保持部の幅よりも広くして、保持部の両側縁部で結節し、基体部の両側部分が縫製品に縫着するための耳部として使用することができる。また、基体部及び保持部の両側縁部から内側の位置において結節すれば、基体部及び保持部の両側部分が耳部として使用することができ、縫着する場合には、縫製品の端部を基体部及び保持部の両側部分で挟んで縫い付ければしっかり縫着できる。
【００３４】
基体部及び保持部は、ダブルラッシェル編機のそれぞれの針床部で編成するので、それぞれ一重の地組織として薄く仕上げることができ、縫製品に重合して縫着しても縫製品の厚みを抑えることが可能となる。例えば、コルセットのように複数の芯材を並列して配置する場合には、それらの芯材に対応して１枚の編地に複数の保持部を形成して縫着することが可能となり、コルセット全体の厚みを抑えることができる。このようにダブルラッシェル編機を用いているので、テープ状の基体部に１つの保持部が編み込まれたものであれば、複数の芯材保持用編地を同時に製造でき、生産効率が大幅にアップするとともに、上述のように広幅の基体部に複数の保持部を編み込んだものも同じ編機で簡単に製造することができるため製造コストを大幅に低減することができる。
【００３５】
また、基体部及び保持部はともに経編編成されて伸縮性を有しているため、１枚の編地に複数の保持部を形成して縫着して体型補整具等に用いても身体動作に追従して支障となることがない。
【００３６】
保持部及び基体部の内面に表出する糸としてポリアミド系繊維又はポリエステル系繊維からなる糸を用いることで、芯材を挿入する際に滑りがよくなり、芯材の挿入工程をスムーズに行うことができる。また、編成する糸に、ポリウレタン系繊維からなる弾性糸を含む複数種類の糸を用いることで、さらに、伸縮性を持たせることが可能となりフィット性が向上し、また、芯材挿入もより一層容易になる。
【図面の簡単な説明】
【図１】本発明に係る第一実施形態に関する概略斜視図である。
【図２】ブラジャーに縫着した場合の全体斜視図である。
【図３】ブラジャーに縫着した場合の部分拡大断面図である。
【図４】第一実施形態の変形例に関する断面図である。
【図５】本発明に係る第二実施形態に関する概略斜視図である。
【図６】ブラジャーに縫着した場合の部分拡大断面図である。
【図７】第一実施形態の別の変形例に関する概略斜視図である。
【図８】図７の変形例を腰痛帯に縫着した場合の全体斜視図である。
【図９】編成方法を示した編組織図である。
【符号の説明】
１    芯材保持用編地
２    基体部
３    保持部
４    結節部
５    空間領域
６    耳部
７    ワイヤー材
８    凹部
９    耳部
１０    ブラジャー
２０    腰痛帯
【図１】
2004263345.tif 000003
【図２】
2004263345.tif 000004
【図３】
2004263345.tif 000005
【図４】
2004263345.tif 000006
【図５】
2004263345.tif 000007
【図６】
2004263345.tif 000008
【図７】
2004263345.tif 000009
【図８】
2004263345.tif 000010
【図９】
2004263345.tif 000011